(57)【要約】  内釜が着脱自在に収納され、内釜に収められた被加熱物を加熱するための加熱部５を有する本体と、本体の上部に開閉自在に設けられた蓋体と、本体あるいは蓋体の何れかに設けられた操作パネル１と、操作パネル１のスイッチの操作による信号が所定時間を超えて入力され続けたときに、スイッチの接続状態が異常としてエラー待機モードに移行し、当該信号に基づく処理を無効する制御部４とを備えた。
2013069443.tif 000002
【特許請求の範囲】
【請求項１】
内釜が着脱自在に収納され、該内釜に収められた被加熱物を加熱するための加熱手段を有する本体と、
前記本体の上部に開閉自在に設けられた蓋体と、
前記本体あるいは前記蓋体の何れかに設けられた操作パネルと、
前記操作パネルのスイッチの操作による信号が所定時間を超えて入力され続けたときに、当該スイッチの接続状態が異常としてエラー待機モードに移行し、当該信号に基づく処理を無効にする制御手段と
を備えたことを特徴とする炊飯器。
【請求項２】
前記制御手段は、炊飯スイッチ及び保温スイッチの何れかの操作による信号が入力されたときに、当該信号が所定時間を超えて入力され続けているかどうかを判定することを特徴とする請求項１記載の炊飯器。
【請求項３】
前記制御手段における前記信号が所定時間を超えて入力され続けているかどうかの判定は、前記信号に基づいて炊飯処理及び保温処理の何れかに入ったときに、また、予約待機処理及び予約炊飯処理に入る毎に行うことを特徴とする請求項２記載の炊飯器。
【請求項４】
報知手段を備え、
前記制御手段は、エラー待機モードに移行する際に、前記報知手段を起動して、その旨を音あるいは音声にて報知することを特徴とする請求項１乃至３の何れか一項に記載の炊飯器。
【請求項５】
前記操作パネルは、表示手段を有し、
前記制御手段は、エラー待機モードに移行する際に、前記表示手段にその旨を表示することを特徴とする請求項１乃至３の何れか一項に記載の炊飯器。
【請求項６】
前記制御手段は、エラー待機モードに移行する際に、そのエラー回数をカウントし、かつ、カウントしたエラー回数が所定回数以上かどうかを判定し、エラー回数が所定回数以上のときには前記加熱手段による加熱を行わせないことを特徴とする請求項１乃至５の何れか一項に記載の炊飯器。
【請求項７】
前記制御手段は、エラー待機モードの移行後に、電源の再投入を検知すると、当該エラー待機モードを取り消すことを特徴とする請求項１乃至６の何れか一項に記載の炊飯器。
【発明の詳細な説明】
【技術分野】
【０００１】
本発明は、操作パネルのキースイッチの操作に応じて炊飯を行う炊飯器に関するものである。
【背景技術】
【０００２】
従来の炊飯器として、タッチ式スイッチに異物が付着した場合や機械式スイッチの戻り不良等の意図しない状態に陥った場合に、その操作検出前の状態を維持するものがある。つまり、操作検出前が電力非投入状態である場合には電力非投入状態を維持し、操作検出前が電力投入状態である場合には電力投入状態を維持する（例えば、特許文献１参照）。
【先行技術文献】
【特許文献】
【０００３】
【特許文献１】特開２００９−５６２２１号公報（要約書、図７）
【発明の概要】
【発明が解決しようとする課題】
【０００４】
前述した従来の炊飯器では、電力投入状態を取消したい時の操作で意図せぬキーロック状態となった場合には、電力投入状態が継続してしまうことになる。つまり、加熱を中止したいのに止められないという様な状態を招く可能性がある。【０００５】
本発明は、前述のような課題を解決するためになされたものであり、スイッチが異物等の付着によりロック状態になった場合には、エラー待機モードに移行して、そのスイッチの操作に基づく処理を無効にする炊飯器を提供することを目的とする。
【課題を解決するための手段】
【０００６】
本発明に係る炊飯器は、内釜が着脱自在に収納され、該内釜に収められた被加熱物を加熱するための加熱手段を有する本体と、本体の上部に開閉自在に設けられた蓋体と、本体あるいは蓋体の何れかに設けられた操作パネルと、操作パネルのスイッチの操作による信号が所定時間を超えて入力され続けたときに、当該スイッチの接続状態が異常としてエラー待機モードに移行し、当該信号に基づく処理を無効にする制御手段とを備えたものである。
【発明の効果】
【０００７】
本発明によれば、操作パネルの例えば炊飯スイッチの操作による信号が所定時間を超えて入力され続けたときに、そのスイッチの接続状態が異常としてエラー待機モードに移行し、その信号に基づく炊飯処理を無効にする。これにより、炊飯キーが異物等の付着によりＯＮ状態のままであっても、炊飯処理における加熱動作が行われなくなり、安全性が向上する。
【図面の簡単な説明】
【０００８】
【図１】実施の形態１に係る炊飯器の概略構成を示すブロック図。
【図２】実施の形態１に係る炊飯器の操作パネルを示す平面図。
【図３】実施の形態１に係る炊飯器の動作を示すフローチャート。
【図４】実施の形態１の炊飯器において、キースイッチがロック状態かどうかの判定動作を示すフローチャート。
【図５】図４のエラー待機処理の動作を示すフローチャート。
【図６】実施の形態２に係る炊飯器の概略構成を示すブロック図。
【図７】実施の形態２の炊飯器におけるエラー待機処理の動作を示すフローチャート。
【図８】実施の形態３に係る炊飯器の概略構成を示すブロック図。
【図９】実施の形態３の炊飯器におけるエラー待機処理の動作を示すフローチャート。
【図１０】実施の形態４に係る炊飯器の概略構成を示すブロック図。
【発明を実施するための形態】
【０００９】
実施の形態１．
図１は実施の形態１に係る炊飯器の概略構成を示すブロック図、図２は実施の形態１に係る炊飯器の操作パネルを示す平面図である。
図１、２において、操作パネル１は、例えば炊飯器の蓋体の上面に設けられ、キー入力部２及び液晶表示部３を備えている。制御部４、加熱部５及び報知部６は、炊飯器の本体内に設けられている。制御部４は、例えばマイコンからなり、キー入力部２からの指示信号に基づいて炊飯器そのものを制御する。加熱部５は、例えば、本体内に着脱自在に収納された内釜を誘導加熱する加熱コイル、内釜の側面から加熱するヒーター等よりなっている。報知部６は、例えばブザーからなっている。なお、操作パネル１を炊飯器の本体側に設けても良い。
【００１０】
前述のキー入力部２は、例えば図２に示すように、炊飯キースイッチ２１、保温／切りキースイッチ２２、予約キースイッチ２３、時刻キースイッチ２４や、お米の種類、お米の堅さ、炊飯のメニュー等をそれぞれ選択するキースイッチ等を有している。
【００１１】
キー入力部２は、各キースイッチの例えばＯＮ操作に応じて、それぞれ指示信号を制御部４に入力する。キー入力部２は、保温／切りキースイッチ２２のうち保温キースイッチがＯＮ操作されたときに、保温の指示信号を制御部４に入力し、切りキースイッチがＯＮ操作されたときには、保温処理を無効にする指示信号を制御部４に入力する。
なお、これ以降、炊飯キースイッチ２１、保温／切りキースイッチ２２等の「キースイッチ」という名称を単に「キー」と称する。
【００１２】
制御部４は、炊飯キー２１のＯＮ操作による指示信号が入力されたときには、炊飯量に応じた炊飯処理を実行し、炊飯処理の終了後に保温処理を実行する。制御部４は、保温／切りキー２２のうち保温キーのＯＮ操作による保温の指示信号が入力されたときには、保温処理を実行する。また、制御部４は、その後に切りキーのＯＮ操作による保温切りの指示信号が入力されたときには、保温処理を中止する。
【００１３】
また、制御部４は、予約キー２３のＯＮ操作による指示信号が入力されたときには、予約セットモードに入る。制御部４は、予約セットモードに入ったときには、時刻キー２４の操作に基づく時刻を液晶表示部３に表示し、炊飯キー２１のＯＮ操作による予約決定の指示信号が入力されたときには、予約時刻と現在時刻とから炊飯開始時間を算出して、予約待機処理に入る。つまり、炊飯開始時間に達するまで待機状態となる。
【００１４】
また、制御部４は、炊飯キー２１のＯＮ操作に基づいて炊飯処理に入った際に、炊飯キー２１のＯＮ状態による指示信号の入力が所定時間を超えたかどうかを判定する。制御部４は、指示信号の入力が所定時間を超えたときには、炊飯キー２１のロック状態（ＯＮされたままの状態）が発生していると判定して、その指示信号に基づく炊飯処理を無効にし、エラー待機モードに移行する。制御部４は、エラー待機モードに移行する際、ブザーである報知部６を起動して、その旨を使用者にブザー音により報知する。これにより、炊飯キー２１に異常があることを使用者に報知することができる。
【００１５】
制御部４は、エラー待機モードに移行した旨を報知した後、電源が再投入されたかどうかを判定し、電源の再投入を検知したときには、炊飯キー２１のＯＮ操作によるエラー待機モードを取り消す取消モードに入る。制御部４による電源の再投入の判定は、例えば炊飯器の電源コードがコンセントから抜かれて再び差し込まれることによる、電源立ち上がりの検知から行っている。
【００１６】
なお、炊飯キー２１がロック状態かどうかの判定は、炊飯処理の他に予約待機処理に入ったとき、その後の予約炊飯処理に入ったときに行うようになっている。さらに、保温／切りキー２２のうち保温キーのＯＮ操作により保温処理に入ったときに、その保温キーがロック状態かどうかを判定する。
【００１７】
次に、実施の形態１に係る炊飯器の動作について、図３乃至図５のフローチャートに基づいて説明する。
図３は実施の形態１に係る炊飯器の動作を示すフローチャート、図４は実施の形態１の炊飯器において、キースイッチがロック状態かどうかの判定動作を示すフローチャート、図５は図４のエラー待機処理の動作を示すフローチャートである。
【００１８】
先ず、制御部４は、取消モードかどうかを判定する（Ｓ１）。制御部４は、電源の再投入により取消モードになっているときには、キーがＯＮ操作されたかどうかを判定する（Ｓ２）。制御部４によるキーがＯＮ操作されたかどうかの判定は、キー入力部２からの指示信号が入力されたかどうかで判定している。制御部４は、キーがＯＮ操作されていないと判定したときには、Ｓ１に戻って取消モードかどうかの判定に入るが、キーのＯＮ操作をキー入力部２からの指示信号から判定したときには、その指示信号から炊飯キー２１かどうかを判定する（Ｓ３）。
【００１９】
制御部４は、指示信号から炊飯キー２１と判定したときには、炊飯処理に入る（Ｓ４）。この時、制御部４は、図４に示すように、炊飯キー２１がＯＮ状態かどうかを指示信号の入力から判定し（Ｓ２１）、炊飯キー２１がＯＮ状態のときには、タイマｔを初期化（ｔ＝０）して（Ｓ２２）、タイマｔのカウントをスタートする（Ｓ２３）。そして、制御部４は、タイマｔが所定時間ｔ０を超えたかどうかを判定し（Ｓ２４）、タイマｔが所定時間ｔ０を超えていないときには炊飯キー２１がＯＦＦになったかどうかを判定する（Ｓ２５）。
【００２０】
制御部４は、タイマｔが所定時間ｔ０を超える前に、炊飯キー２１がＯＦＦになったときには、Ｓ２１に戻ってキーがＯＮ操作されたかどうかを判定する。制御部４は、キーがＯＮ操作されていないと判定したときには、この一連の動作を一旦中止して、炊飯量に応じた炊飯処理を実行する（Ｓ４）。そして、制御部４は、炊飯処理が終了すると、保温処理に入って（Ｓ５）、例えば６０℃で炊飯物が保温されるように加熱部５を制御する。制御部４は、保温処理が終了したときには、図３のフローチャートに基づく動作を終了する。
【００２１】
また、制御部４は、図４のＳ２４において、炊飯キー２１のＯＮ時間（タイマｔ）が所定時間ｔ０を超えたときには、炊飯キー２１がロック状態になっていると判定して、エラー待機処理に入る（Ｓ２６）。制御部４は、エラー待機処理に入った際、図５に示すように、先ず、報知部６を起動してブザー音によりエラー待機モードに移行する旨を使用者に報知する（Ｓ３１）。そして、制御部４は、エラー待機モードに入って（Ｓ３２）、電源が再投入されたかどうかを判定する（Ｓ３３）。制御部４は、電源の再投入を検知しなかったときには、エラー待機モードを継続し（Ｓ３２）、電源の再投入を検知したときには、エラー待機モードから取消モードに切り替え（Ｓ３４）、図３のＳ１に戻る。
【００２２】
また、制御部４は、図３のＳ３において、キーのＯＮ操作が炊飯キー２１でないと判定したときには、保温／切りキー２２かどうかを判定する（Ｓ６）。制御部４は、保温／切りキー２２でないと判定したときには、キー入力部２からの指示信号に応じたモード処理を実行する（Ｓ８）。そのモード処理として、メニューキーの選択操作に基づく処理、お米キーの選択操作に基づく処理がある。制御部４は、Ｓ８のモード処理が終了したときには、図３のフローチャートに基づく動作を終了する。
【００２３】
制御部４は、Ｓ６において、キーのＯＮ操作が保温／切りキー２２のうち保温キーと判定したときには、保温処理に入る（Ｓ７）。この時、制御部４は、図４に示すように、保温／切りキー２２のうち保温キーがＯＮ状態かどうかを指示信号の入力から判定し（Ｓ２１）、その保温キーがＯＮ状態のときにはタイマｔを初期化（ｔ＝０）して（Ｓ２２）、タイマｔのカウントをスタートする（Ｓ２３）。そして、制御部４は、タイマｔが所定時間ｔ０を超えたかどうかを判定し（Ｓ２４）、タイマｔが所定時間ｔ０を超えていないときには、前述の保温キーがＯＦＦになったかどうかを判定する（Ｓ２５）。
【００２４】
制御部４は、タイマｔが所定時間ｔ０を超える前に、前述の保温キーがＯＦＦになったときには、Ｓ２１に戻って、キーがＯＮ操作されたかどうかを判定する。制御部４は、キーがＯＮ操作されていないと判定したときには、この一連の動作を一旦中止して、保温処理を実行する（Ｓ７）。そして、制御部４は、保温処理が終了すると、図３のフローチャートに基づく動作を終了する。
【００２５】
また、制御部４は、図４のＳ２４において、保温／切りキー２２のうち保温キーのＯＮ時間（タイマｔ）が所定時間ｔ０を超えたときには、その保温キーがロック状態になっていると判定して、エラー待機処理に入る（Ｓ２６）。制御部４は、エラー待機処理に入った際、図５に示すように、先ず、報知部６を起動してブザー音によりエラー待機モードに移行する旨を使用者に報知する（Ｓ３１）。そして、制御部４は、エラー待機モードに入って（Ｓ３２）、電源が再投入されたかどうかを判定する（Ｓ３３）。制御部４は、電源の再投入を検知しなかったときには、エラー待機モードを継続し（Ｓ３２）、電源の再投入を検知したときには、エラー待機モードを取消モードにし（Ｓ３４）、図３のＳ１に戻る。
【００２６】
さらに、制御部４は、図３のＳ１において、取消モードでないと判定したときには、予約セットモードかどうかを判定する（Ｓ９）。制御部４は、予約セットモードでないと判定したときには、キー入力部２からの指示信号に応じたモード処理を実行し（Ｓ１５）、そのモード処理を終了したときにＳ１に戻って、取消モードかどうかの判定に入る。制御部４は、Ｓ９において、予約セットモードと判定したときには、キーがＯＮ操作されたかどうかを判定する（Ｓ１０）。
【００２７】
制御部４は、キーがＯＮ操作されていないと判定したときにはＳ１に戻るが、キーのＯＮ操作を検知したときには、そのキーが炊飯キー２１かどうかを判定する（Ｓ１１）。制御部４は、そのキーが炊飯キー２１でないときには、前述したように、キー入力部２からの指示信号に応じたモード処理を実行して（Ｓ１５）、そのモード処理を終了したときに、図３のフローチャートに基づく動作を終了する。
【００２８】
一方、制御部４は、キーが炊飯キー２１と判定したときには、予約待機処理に入る（Ｓ１２）。この場合、制御部４は、炊飯処理に入ったときと同様に、図４のフローチャートに基づいて炊飯キー２１のＯＮ時間（タイマｔ）が所定時間ｔ０を超えたかどうかの判定動作に入る（Ｓ２４）。制御部４は、炊飯キー２１のＯＮ時間（タイマｔ）が所定時間ｔ０を超えたときには、炊飯キー２１がロック状態になっていると判定して、エラー待機処理に入る（Ｓ２６）。
【００２９】
制御部４は、エラー待機処理に入ったときには、前述したように図５のフローチャートを実行する。この場合、制御部４は、先ず、報知部６を起動してブザー音によりエラー待機モードに移行する旨を使用者に報知する（Ｓ３１）。そして、制御部４は、エラー待機モードに入って（Ｓ３２）、電源が再投入されたかどうかを判定する（Ｓ３３）。制御部４は、電源の再投入を検知しなかったときには、エラー待機モードを継続し（Ｓ３２）、電源の再投入を検知したときには、エラー待機モードから取消モードに切り替え（Ｓ３４）、図３のＳ１に戻る。
【００３０】
一方、制御部４は、図４のフローチャートを実行した際に、炊飯キー２１のＯＮ時間（タイマｔ）が所定時間ｔ０以内であったときには、炊飯開始時刻まで待機する。そして、制御部４は、炊飯開始時刻に達したと判定したときには、予約炊飯処理に入る（Ｓ１３）。この場合も、制御部４は、予約待機処理に入ったときと同様に、図４のフローチャートに基づいて炊飯キー２１のＯＮ時間（タイマｔ）が所定時間ｔ０を超えたかどうかの判定動作に入る。制御部４は、炊飯キー２１のＯＮ時間（タイマｔ）が所定時間ｔ０を超えたときには、炊飯キー２１がロック状態になっていると判定して、エラー待機処理に入る（Ｓ２６）。
【００３１】
制御部４は、エラー待機処理に入ったときには、図５のフローチャートを実行する。前記と同様に、制御部４は、先ず、報知部６を起動してブザー音によりエラー待機モードに移行する旨を使用者に報知する（Ｓ３１）。そして、制御部４は、エラー待機モードに入って（Ｓ３２）、電源が再投入されたかどうかを判定する（Ｓ３３）。制御部４は、電源の再投入を検知しなかったときには、エラー待機モードを継続し（Ｓ３２）、電源の再投入を検知したときには、エラー待機モードから取消モードに切り替え（Ｓ３４）、図３のＳ１に戻る。一方、制御部４は、図４のフローチャートを実行した際に、炊飯キー２１のＯＮ時間（タイマｔ）が所定時間ｔ０以内であったときには、炊飯量に応じた予約炊飯処理を実行し、炊飯終了時に保温処理を実行する（Ｓ１４）。
【００３２】
以上のように実施の形態１においては、炊飯キー２１あるいは保温／切りキー２２の何れかがＯＮ操作されたときに、そのＯＮ時間（タイマｔ）が所定時間ｔ０を超えたかどうかを判定し、ＯＮ時間（タイマｔ）が所定時間ｔ０を超えたときには、エラー待機モードに移行するようにしている。これにより、前述のキーが異物の付着によりＯＮ状態であっても加熱部５への通電が行われず、安全性が向上する。
また、エラー待機モードに移行する際に、その旨をブザー音により使用者に報知するようにしているので、使用者に電源の再投入を促すことができる。これにより、炊飯や保温、予約炊飯の再度設定を行うことが可能になる。
【００３３】
また、キーのＯＮ時間（タイマｔ）が所定時間ｔ０を超えたかどうかの判定を、炊飯キー２１に対しては炊飯処理（Ｓ４）、予約待機処理（Ｓ１２）、予約炊飯処理（Ｓ１３）の何れかに入ったときに行い、また、保温／切りキー２２のうち保温キーに対しては保温処理（Ｓ７）に入ったときに行うようにしている。そのため、例えば炊飯器が取消モード状態のときに、操作パネル１上に荷物などが置かれて予約キー２３や時刻キー２４等の炊飯キー２１及び保温／切りキー２２のうち保温キー以外のキーの何れかがＯＮ状態になったとしても、エラー待機モードに移行することはなく、誤動作を防止できる。
【００３４】
なお、実施の形態１では、エラー待機モードに移行する際に、報知部６を起動してブザー音により使用者に報知するようにしたが、これに限定されるものではない。例えば、音声を発生する報知部を用いても良い。この場合、制御部４は、エラー待機モードに移行する際に、その旨の音声信号を前記の報知部に入力し、その報知部から音声にて使用者に報知させる。このように音声により使用者に報知する構成とした場合、炊飯キー２１あるいは保温／切りキー２２の何れかがロック状態になっている旨や、電源の再投入を促すことができる。
【００３５】
また、実施の形態１では、エラー待機モードに移行する際に、その旨を報知部６のブザー音により使用者に報知するようにしたが、これに代えてＬＥＤを点滅させて報知するようにしても良し、また、報知部６とＬＥＤにより報知するようにしても良い。
【００３６】
実施の形態２．
実施の形態１では、エラー待機モードに移行するときに、その旨をブザー音により使用者に報知するようにしたが、実施の形態２は、その旨を液晶表示部に表示して使用者に報知するようにしたものである。
【００３７】
図６は実施の形態２に係る炊飯器の概略構成を示すブロック図である。なお、実施の形態２においては、実施の形態１と異なる部分を説明する。
実施の形態２における炊飯器の制御部４１は、エラー待機モードに移行する際、その旨の文字情報を信号化して液晶表示部３（ＬＣＤ）に表示する。その時、文字情報を点滅させる。
【００３８】
次に、エラー待機モードに移行した際の制御部４１の動作を図７のフローチャートに基づいて説明する。なお、キーのＯＮ時間（タイマｔ）が所定時間ｔ０を超えたかどうかの判定を、炊飯キー２１に対しては炊飯処理（Ｓ４）、予約待機処理（Ｓ１２）、予約炊飯処理（Ｓ１３）の何れかに入ったときに行い、また、保温／切りキー２２のうち保温キーに対しては保温処理（Ｓ７）に入ったときに行うことについては、実施の形態１と同様である。
【００３９】
図７は実施の形態２の炊飯器におけるエラー待機処理の動作を示すフローチャートである。
制御部４１は、図４のＳ２４において、炊飯キー２１（又は保温／切りキー２２）のＯＮ時間（タイマｔ）が所定時間ｔ０を超えたときには、炊飯キー２１（又は保温／切りキー２２）がロック状態になっていると判定して、エラー待機処理に入る（Ｓ２６）。制御部４１は、エラー待機処理に入った際、図７に示すように、先ず、その旨の文字情報を信号化して液晶表示部３（ＬＣＤ）に表示し、使用者に報知する（Ｓ４１）。そして、制御部４１は、エラー待機モードに入って（Ｓ４２）、電源が再投入されたかどうかを判定する（Ｓ４３）。制御部４１は、電源の再投入を検知しなかったときには、エラー待機モードを継続し（Ｓ４２）、電源の再投入を検知したときには、エラー待機モードから取消モードに切り替え（Ｓ４４）、図３のＳ１に戻る。
【００４０】
以上のように実施の形態２においては、炊飯キー２１あるいは保温／切りキー２２の何れかがＯＮ操作されたときに、そのＯＮ時間（タイマｔ）が所定時間ｔ０を超えたかどうかを判定し、ＯＮ時間（タイマｔ）が所定時間ｔ０を超えたときには、エラー待機モードに移行するようにしている。これにより、前述のキーが異物の付着によりＯＮ状態であっても加熱部５への通電が行われず、安全性が向上する。
また、エラー待機モードに移行する際に、その旨を液晶表示部３に表示して使用者に報知するようにしているので、使用者に電源の再投入を促すことができる。これにより、炊飯や保温、予約炊飯の再度設定を行うことが可能になる。
【００４１】
また、キーのＯＮ時間（タイマｔ）が所定時間ｔ０を超えたかどうかの判定を、炊飯キー２１に対しては炊飯処理（Ｓ４）、予約待機処理（Ｓ１２）、予約炊飯処理（Ｓ１３）の何れかに入ったときに行い、また、保温／切りキー２２のうち保温キーに対しては保温処理（Ｓ７）に入ったときに行うようにしている。そのため、例えば炊飯器が取消モード状態のときに、操作パネル１上に荷物などが置かれて予約キー２３や時刻キー２４等の炊飯キー２１及び保温／切りキー２２のうち保温キー以外のキーの何れかがＯＮ状態になったとしても、エラー待機モードに移行することはなく、誤動作を防止できる。
【００４２】
なお、実施の形態２では、エラー待機モードに移行する際に、その旨を液晶表示部３に表示して使用者に報知するようにしたが、これに限定されるものではない。例えば、液晶表示部３への表示に加え、ブザー等の報知部６からブザー音を鳴動させて、使用者に報知するようにしても良い。
【００４３】
また、実施の形態２では、エラー待機モードに移行する際に、その旨を液晶表示部３に表示して使用者に報知するようにしたが、これに代えてＬＥＤを点滅させて報知するようにしても良し、また、液晶表示部３とＬＥＤにより報知するようにしても良い。
【００４４】
実施の形態３．
実施の形態３は、エラー待機モードに移行するときに、その旨を液晶表示部３と報知部６により使用者に報知すると共に、エラー待機モードに移行したエラー報知回数をエラー報知回数記憶部（以下、単に「記憶部」という）に記録するようにしたものである。
【００４５】
図８は実施の形態３に係る炊飯器の概略構成を示すブロック図である。なお、実施の形態３においては、実施の形態１、２と異なる部分を説明する。
実施の形態３における炊飯器の制御部４２は、エラー待機モードに移行する際、その旨の文字情報を信号化して液晶表示部３（ＬＣＤ）に表示すると共に、報知部６を起動してブザー音を鳴動させ、かつエラー報知回数を記憶部７に記録する。そして、制御部４２は、記憶部７に記録したエラー報知回数が所定回数以上かどうかを判定し、エラー報知回数が所定回数以上のときには、加熱部５による加熱が行われないように、例えば電源スイッチ（図示せず）を切りにする。
【００４６】
次に、エラー待機モードに移行した際の制御部４２の動作を図９のフローチャートに基づいて説明する。なお、キーのＯＮ時間（タイマｔ）が所定時間ｔ０を超えたかどうかの判定を、炊飯キー２１に対しては炊飯処理（Ｓ４）、予約待機処理（Ｓ１２）、予約炊飯処理（Ｓ１３）の何れかに入ったときに行い、また、保温／切りキー２２のうち保温キーに対しては保温処理（Ｓ７）に入ったときに行うことについては、実施の形態１と同様である。
【００４７】
図９は実施の形態３の炊飯器におけるエラー待機処理の動作を示すフローチャートである。
制御部４２は、図４のＳ２４において、炊飯キー２１（又は保温／切りキー２２）のＯＮ時間（タイマｔ）が所定時間ｔ０を超えたときには、炊飯キー２１（又は保温／切りキー２２）がロック状態になっていると判定して、エラー待機処理に入る（Ｓ２６）。制御部４２は、エラー待機処理に入った際、図９に示すように、先ず、その旨の文字情報を信号化して液晶表示部３（ＬＣＤ）に表示すると共に、報知部６を起動してブザー音を鳴動させ、使用者に報知する（Ｓ５１）。そして、制御部４２は、エラー報知回数を＋１とし記憶部７に記録する（Ｓ５２）。
【００４８】
次いで、制御部４２は、記憶部７に記録したエラー報知回数が所定回数以上かどうかを判定する（Ｓ５３）。エラー報知回数が所定回数に達していないときには、エラー待機モードに入って（Ｓ５４）、電源が再投入されたかどうかを判定する（Ｓ５５）。制御部４２は、電源の再投入を検知しなかったときには、エラー待機モードを継続し（Ｓ５４）、電源の再投入を検知したときには、エラー待機モードから取消モードに切り替え（Ｓ５６）、図３のＳ１に戻る。一方、制御部４２は、エラー報知回数が所定回数以上のときには、加熱部５による加熱が行われないように電源スイッチを切り（Ｓ５７）、エラー待機モードから取消モードに切り替えることなく、図３のＳ１に戻る。
【００４９】
以上のように実施の形態３においては、炊飯キー２１あるいは保温／切りキー２２の何れかがＯＮ操作されたときに、そのＯＮ時間（タイマｔ）が所定時間ｔ０を超えたかどうかを判定し、ＯＮ時間（タイマｔ）が所定時間ｔ０を超えたときには、エラー待機モードに移行するようにしている。これにより、前述のキーが異物の付着によりＯＮ状態であっても加熱部５への通電が行われず、安全性が向上する。
また、エラー待機モードに移行する際に、その旨を液晶表示部３に表示すると共に、報知部６を起動してブザー音により使用者に報知するようにしているので、使用者に電源の再投入を促すことができる。これにより、炊飯や保温、予約炊飯の再度設定を行うことが可能になる。
【００５０】
また、エラー待機モードに移行した際に、エラー報知回数を記憶部７に記録し、そのエラー報知回数が所定回数以上のときには、加熱部５による加熱を行わせないようにしているので、より安全性が向上する。
【００５１】
さらに、キーのＯＮ時間（タイマｔ）が所定時間ｔ０を超えたかどうかの判定を、炊飯キー２１に対しては炊飯処理（Ｓ４）、予約待機処理（Ｓ１２）、予約炊飯処理（Ｓ１３）の何れかに入ったときに行い、また、保温／切りキー２２のうち保温キーに対しては保温処理（Ｓ７）に入ったときに行うようにしている。そのため、例えば炊飯器が取消モード状態のときに、操作パネル１上に荷物などが置かれて予約キー２３や時刻キー２４等の炊飯キー２１及び保温／切りキー２２のうち保温キー以外のキーの何れかがＯＮ状態になったとしても、エラー待機モードに移行することはなく、誤動作を防止できる。
【００５２】
実施の形態４．
実施の形態４は、エラー待機モードに移行するときに、その旨を液晶表示部３に表示して使用者に報知すると共に、エラー待機モードに移行したエラー報知回数を記憶部７に記録するようにしたものである。
【００５３】
図１０は実施の形態４に係る炊飯器の概略構成を示すブロック図である。なお、実施の形態４においては、実施の形態３と異なる部分を説明する。
実施の形態４における炊飯器の制御部４３は、エラー待機モードに移行する際、その旨の文字情報を信号化して液晶表示部３（ＬＣＤ）に表示すると共に、エラー報知回数を記憶部７に記録する。そして、制御部４３は、記憶部７に記録したエラー報知回数が所定回数以上かどうかを判定し、エラー報知回数が所定回数以上のときには、加熱部５による加熱が行われないように、例えば電源スイッチ（図示せず）を切りにする。
【００５４】
次に、エラー待機モードに移行した際の制御部４３の動作を図９のフローチャートを用いて説明する。なお、図中のＳ５１が実施の形態３と異なるだけで、その他は同様である。また、キーのＯＮ時間（タイマｔ）が所定時間ｔ０を超えたかどうかの判定を、炊飯キー２１に対しては炊飯処理（Ｓ４）、予約待機処理（Ｓ１２）、予約炊飯処理（Ｓ１３）の何れかに入ったときに行い、また、保温／切りキー２２のうち保温キーに対しては保温処理（Ｓ７）に入ったときに行うことについては、実施の形態１と同様である。
【００５５】
制御部４３は、図４のＳ２４において、炊飯キー２１（又は保温／切りキー２２）のＯＮ時間（タイマｔ）が所定時間ｔ０を超えたときには、炊飯キー２１（又は保温／切りキー２２）がロック状態になっていると判定して、エラー待機処理に入る（Ｓ２６）。制御部４３は、エラー待機処理に入った際、図９に示すように、先ず、その旨の文字情報を信号化して液晶表示部３（ＬＣＤ）に表示する（Ｓ５１）。そして、制御部４３は、エラー報知回数を＋１とし記憶部７に記録する（Ｓ５２）。
【００５６】
次いで、制御部４３は、記憶部７に記録したエラー報知回数が所定回数以上かどうかを判定する（Ｓ５３）。エラー報知回数が所定回数に達していないときには、エラー待機モードに入って（Ｓ５４）、電源が再投入されたかどうかを判定する（Ｓ５５）。制御部４３は、電源の再投入を検知しなかったときには、エラー待機モードを継続し（Ｓ５４）、電源の再投入を検知したときには、エラー待機モードから取消モードに切り替え（Ｓ５６）、図３のＳ１に戻る。一方、制御部４３は、エラー報知回数が所定回数以上のときには、加熱部５による加熱が行われないように電源スイッチを切り（Ｓ５７）、エラー待機モードから取消モードに切り替えることなく、図３のＳ１に戻る。
【００５７】
以上のように実施の形態４においては、炊飯キー２１あるいは保温／切りキー２２の何れかがＯＮ操作されたときに、そのＯＮ時間（タイマｔ）が所定時間ｔ０を超えたかどうかを判定し、ＯＮ時間（タイマｔ）が所定時間ｔ０を超えたときには、エラー待機モードに移行するようにしている。これにより、前述のキーが異物の付着によりＯＮ状態であっても加熱部５への通電が行われず、安全性が向上する。
また、エラー待機モードに移行する際に、その旨を液晶表示部３に表示して使用者に報知するようにしているので、使用者に電源の再投入を促すことができる。これにより、炊飯や保温、予約炊飯の再度設定を行うことが可能になる。
【００５８】
また、エラー待機モードに移行した際に、エラー報知回数を記憶部７に記録し、そのエラー報知回数が所定回数以上のときには、加熱部５による加熱を行わせないようにしているので、より安全性が向上する。
【００５９】
さらに、キーのＯＮ時間（タイマｔ）が所定時間ｔ０を超えたかどうかの判定を、炊飯キー２１に対しては炊飯処理（Ｓ４）、予約待機処理（Ｓ１２）、予約炊飯処理（Ｓ１３）の何れかに入ったときに行い、また、保温／切りキー２２のうち保温キーに対しては保温処理（Ｓ７）に入ったときに行うようにしている。そのため、例えば炊飯器が取消モード状態のときに、操作パネル１上に荷物などが置かれて予約キー２３や時刻キー２４等の炊飯キー２１及び保温／切りキー２２のうち保温キー以外のキーの何れかがＯＮ状態になったとしても、エラー待機モードに移行することはなく、誤動作を防止できる。
【００６０】
なお、実施の形態４では、エラー待機モードに移行する際に、その旨を液晶表示部３に表示して使用者に報知するようにしたが、これに代えてＬＥＤを点滅させて報知するようにしても良し、また、液晶表示部３とＬＥＤにより報知するようにしても良い。
【００６１】
以上の実施の形態１乃至４において、キーがＯＮ操作されたときのキーのＯＮ時間（タイマｔ）が所定時間ｔ０を超えたかどうかを判定する際に、キー入力部から制御部へ出力される信号を例えば次のように構成する。
キーがＯＮ操作されていないときにローレベル（またはハイレベル）の直流信号が、キーがＯＮ操作されているときにハイレベル（またはローレベル）の直流信号が、それぞれキー入力部から制御部へ出力されるように構成してもよい。また、キーがＯＮ操作されていないときにローレベル（またはハイレベル）の直流信号が、キーがＯＮ操作されているときにハイレベルとローレベルとを交互に繰り返す交番信号が、それぞれキー入力部から制御部へ出力されるように構成してもよい。さらに、キーがＯＮ操作されていないときにハイレベルとローレベルとを交互に繰り返す交番信号が、キーがＯＮ操作されているときにローレベル（またはハイレベル）の直流信号が、それぞれキー入力部から制御部へ出力されるように構成してもよい。
いずれにしても、キーがＯＮ操作されていないときとＯＮ操作されているときとで、異なる態様の信号が、それぞれキー入力部から制御部へ出力されるように構成すればよい。
【符号の説明】
【００６２】
１  操作パネル、２  キー入力部、３  液晶表示部、４、４１、４２、４３  制御部、５  加熱部、６  報知部、７  エラー報知回数記憶部、２１  炊飯キースイッチ、２２  保温／切りキースイッチ、２３  予約キースイッチ、２４  時刻キースイッチ。
【図１】
2013069443.tif 000003
【図２】
2013069443.tif 000004
【図３】
2013069443.tif 000005
【図４】
2013069443.tif 000006
【図５】
2013069443.tif 000007
【図６】
2013069443.tif 000008
【図７】
2013069443.tif 000009
【図８】
2013069443.tif 000010
【図９】
2013069443.tif 000011
【図１０】
2013069443.tif 000012
【手続補正書】
【提出日】平成26年3月27日(2014.3.27)
【手続補正１】
【補正対象書類名】明細書
【補正対象項目名】０００６
【補正方法】変更
【補正の内容】
【０００６】
本発明に係る炊飯器は、内釜が着脱自在に収納され、該内釜を加熱する加熱手段を有する本体と、本体の上部に開閉自在に設けられた蓋体と、本体あるいは蓋体の何れかに設けられた操作パネルと、操作パネルのスイッチの操作に基づく信号が所定時間を超えて入力され続けたときに、当該スイッチの接続状態が異常としてエラー待機モードに移行し、当該信号に基づく処理を無効にする制御手段とを備えたものである。
【手続補正２】
【補正対象書類名】特許請求の範囲
【補正対象項目名】全文
【補正方法】変更
【補正の内容】
【特許請求の範囲】
【請求項１】
内釜が着脱自在に収納され、該内釜を加熱する加熱手段を有する本体と、
前記本体の上部に開閉自在に設けられた蓋体と、
前記本体あるいは前記蓋体の何れかに設けられた操作パネルと、
前記操作パネルのスイッチの操作に基づく信号が所定時間を超えて入力され続けたときに、当該スイッチの接続状態が異常としてエラー待機モードに移行し、当該信号に基づく処理を無効にする制御手段と
を備えたことを特徴とする炊飯器。
【請求項２】
前記制御手段は、炊飯スイッチ及び保温スイッチの何れかの操作により信号が入力されたときに、当該信号が所定時間を超えて入力され続けているかどうかを判定することを特徴とする請求項１記載の炊飯器。
【請求項３】
前記制御手段における前記信号が所定時間を超えて入力され続けているかどうかの判定は、前記信号に基づいて炊飯処理及び保温処理の何れかに入ったときに、また、予約待機処理及び予約炊飯処理に入る毎に行うことを特徴とする請求項２記載の炊飯器。
【請求項４】
報知手段を備え、
前記制御手段は、前記エラー待機モードに移行する際に、前記報知手段を起動して、その旨を音あるいは音声にて報知することを特徴とする請求項１乃至３の何れか一項に記載の炊飯器。
【請求項５】
前記操作パネルは、表示手段を有し、
前記制御手段は、前記エラー待機モードに移行する際に、前記表示手段にその旨を表示することを特徴とする請求項１乃至３の何れか一項に記載の炊飯器。
【請求項６】
前記制御手段は、前記エラー待機モードに移行する際に、そのエラー回数をカウントし、かつ、カウントしたエラー回数が所定回数以上かどうかを判定し、前記エラー回数が所定回数以上のときには前記加熱手段で前記内釜の加熱を行わせないことを特徴とする請求項１乃至５の何れか一項に記載の炊飯器。
【請求項７】
前記制御手段は、前記エラー待機モードの移行後に、電源の再投入を検知すると、当該エラー待機モードを取り消すことを特徴とする請求項１乃至６の何れか一項に記載の炊飯器。
【国際調査報告】
2013069443.tif 000013
2013069443.tif 000014